(57)【要約】      （修正有）【課題】光源を切り替えて第１意匠および第２意匠を選択的に表示させる表示装置において、第１意匠および第２意匠の見え方を均一化できる表示装置を提供する。【解決手段】表示装置１００であって、互いに隔離され、所定の操作によって点灯が切替わる第１光源１２２、１２３及び第２光源１２４と、第１意匠が形成された出光面と、第１光源１２２、１２３と対向する入光面、入光面から進入した光を出光面の第１意匠で反射するように導く導光部と、を有する板状の導光体１１４と、第２意匠の形状に形成され、第２光源１２４からの直接光を透過させる第１領域と、第１領域よりも少ない光量の直接光を透過させる第２領域とを有する透過部１１５と、を備える。【選択図】図４
2018087867.tif 000002
【特許請求の範囲】
【請求項１】
互いに隔離され、所定の操作によって点灯が切替わる第１光源及び第２光源と、
第１意匠が形成された出光面と、前記第１光源と対向する入光面と、前記入光面から進入した光を前記出光面の前記第１意匠で反射するように導く導光部と、を有する板状の導光体と、
第２意匠の形状に形成され、前記第２光源からの直接光を透過させる第１領域と、前記第１領域よりも少ない光量の前記直接光を透過させる第２領域とを有する透過部と、を備える
表示装置。
【請求項２】
前記第２領域は、前記導光体の前記出光面の前記第１意匠を除く部位から出射される光の光量と同程度の光量を透過させるように構成されている
請求項１に記載の表示装置。
【請求項３】
前記導光体と前記透過部とは重ねて配置される
請求項１または２に記載の表示装置。
【請求項４】
前記第１意匠と前記第２意匠とが重なるように、前記導光体と前記透過部とが配置され、
前記第１意匠は、前記導光体の厚み方向の光を透過するように前記出光面に形成される
請求項３に記載の表示装置。
【請求項５】
前記第１意匠は、光の出射側が頂点となる逆Ｖ字形の溝または孔が形成される
請求項３に記載の表示装置。
【請求項６】
前記導光体の前記導光部は、前記出光面に対して屈曲して形成されている
請求項１に記載の表示装置。
【発明の詳細な説明】
【技術分野】
【０００１】
本発明は、表示装置に関する。
【背景技術】
【０００２】
従来、第１光源によって導光板を介して常時表示される第１意匠と、第２光源によって遮光部を通して適宜表示される第２意匠とを有する表示装置が開示されている（特許文献１参照）。
【先行技術文献】
【特許文献】
【０００３】
【特許文献１】特開２００４−３３３３６１号公報
【発明の概要】
【発明が解決しようとする課題】
【０００４】
しかしながら、特許文献１の技術では、第１意匠と第２意匠とで異なった見え方の表示をしてしまうという課題がある。特に、特許文献１の技術を表示させる意匠を第１意匠と第２意匠とで切り替える場合に、第１意匠と第２意匠とで見え方の差異が顕著に視認しやすくなってしまう。
【０００５】
そこで、本発明は、光源を切り替えて第１意匠および第２意匠を選択的に表示させる表示装置において、第１意匠および第２意匠の見え方を均一化できる表示装置を提供する。
【課題を解決するための手段】
【０００６】
本発明の一態様に係る表示装置は、互いに隔離され、所定の操作によって点灯が切替わる第１光源及び第２光源と、第１意匠が形成された出光面と、前記第１光源と対向する入光面と、前記入光面から進入した光を前記出光面の前記第１意匠で反射するように導く導光部と、を有する板状の導光体と、第２意匠の形状に形成され、前記第２光源からの直接光を透過させる第１領域と、前記第１領域よりも少ない光量の前記直接光を透過させる第２領域とを有する透過部と、を備える。
【発明の効果】
【０００７】
本発明の表示装置では、光源を切り替えて第１意匠および第２意匠を選択的に表示させる表示装置において、第１意匠および第２意匠の見え方を均一化できる。
【図面の簡単な説明】
【０００８】
【図１】実施の形態に係るステアリング表示装置が配置された車両の車室の一例を示す図である。
【図２】実施の形態に係るステアリング表示装置の使用例を示す図である。
【図３】実施の形態に係る表示装置の外観斜視図である。
【図４】実施の形態に係る表示装置の分解斜視図である。
【図５】図３のＶ−Ｖ断面図である。
【図６】導光体と導光体に形成された第１意匠を表示させるための第１光源との関係を示す斜視図である。
【図７】透過部と透過部に形成された第２意匠を表示させるための第２光源との関係を示す斜視図である。
【図８】スイッチ本体を押圧する前後の動きを説明するための図である。
【発明を実施するための形態】
【０００９】
本発明の一態様に係る表示装置は、互いに隔離され、所定の操作によって点灯が切替わる第１光源及び第２光源と、第１意匠が形成された出光面と、前記第１光源と対向する入光面と、前記入光面から進入した光を前記出光面の前記第１意匠で反射するように導く導光部と、を有する板状の導光体と、第２意匠の形状に形成され、前記第２光源からの直接光を透過させる第１領域と、前記第１領域よりも少ない光量の前記直接光を透過させる第２領域とを有する透過部と、を備える。
【００１０】
これによれば、透過部が第２意匠の形状に形成され、第２光源からの直接光を透過させる第１領域と、第１領域よりも少ない光量の直接光を透過させる第２領域とを有する。このように、第２領域において少ない光量の直接光を透過させるため、第２光源を発光させて直接光による第２意匠を表示させた場合であっても、第２意匠の周囲の領域を少し光らせることができる。このため、導光体を介して第１光源の光により表示させる第１意匠の周囲の領域の光量と、第２意匠の周囲の領域の光量とを近づけることができる。よって、光源を切り替えて第１意匠および第２意匠を選択的に表示させる表示装置において、第１意匠および第２意匠の見え方を均一化できる。
【００１１】
また、前記第２領域は、前記導光体の前記出光面の前記第１意匠を除く部位から出射される光の光量と同程度の光量を透過させるように構成されていてもよい。
【００１２】
このため、光源を切り替えて第１意匠および第２意匠を選択的に表示させる表示装置において、第１意匠および第２意匠の見え方を効果的に均一化できる。
【００１３】
また、前記導光体と前記透過部とは重ねて配置されてもよい。
【００１４】
このため、表示装置の構成を小型化することができる。
【００１５】
また、前記第１意匠と前記第２意匠とが重なるように、前記導光体と前記透過部とが配置され、前記第１意匠は、前記導光体の厚み方向の光を透過するように前記出光面に形成されてもよい。
【００１６】
このため、導光体では、第１意匠において、導光部により導かれた第１光源からの光を出光面から出射方向側に反射することで第１意匠を表示することと、導光体の厚み方向に照射される第２光源の光を透過することで、第１意匠と重なって配置されている第２意匠を表示することとを容易な構成で両立できる。
【００１７】
また、前記第１意匠は、光の出射側が頂点となる逆Ｖ字形の溝または孔が形成されてもよい。
【００１８】
これによれば、第１意匠と第２意匠とを互いに重なった領域に表示できるため、表示装置の構成を効果的に小型化することができる。
【００１９】
また、前記導光体の前記導光部は、前記出光面に対して屈曲して形成されていてもよい。
【００２０】
以下、本発明の一態様に係る表示装置について、図面を参照しながら具体的に説明する。
【００２１】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２２】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００２３】
図１に示す自動車４（車両の一例）の車室には、ステアリング入力装置２及び車載機器６が搭載されている。実施の形態に係るステアリング入力装置２は、ステアリングホイール８及び表示装置１００を備えている。
【００２４】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００２５】
表示装置１００は、車載機器６を操作するためのものであり、例えばステアリングホイール８のスポーク１４に配置されている。図２に示すように、ユーザである運転者は、リム１２を握っている右手の指１８（操作物体の一例）で表示装置１００に対して入力を行うことにより、車載機器６を操作することができる。表示装置１００の構成については後で詳述する。
【００２６】
車載機器６は、例えばコンパクトディスク等の光ディスクを再生するためのオーディオ機器である。車載機器６は、例えばダッシュボード２０内に配置されている。車載機器６の構成については後で詳述する。
【００２７】
［１−２．表示装置の構成］
次に、図３〜７を参照しながら、実施の形態に係る表示装置１００の構成について説明する。図３は、実施の形態に係る表示装置１００の外観斜視図である。図４は、実施の形態に係る表示装置１００の分解斜視図である。図５は、図３のＶ−Ｖ断面図である。
【００２８】
図３〜図５に示すように、実施の形態に係る表示装置１００は、導光体１１４と、透過部１１５と、隔離部１１７と、第１光源１２２、１２３および第２光源１２４が設けられた基板１１８とを備える。表示装置１００は、さらに、外枠１１１と、タッチセンサ１１２と、窓枠１１３と、押圧部１１６と、下枠１１９とを備えていてもよい。
【００２９】
外枠１１１は、表示装置１００の前面の外周側から表示装置１００の側面を覆う部材である。外枠１１１は、例えば、樹脂等の材料により構成される。
【００３０】
タッチセンサ１１２は、表示装置１００の前面側（Ｚ軸方向プラス側）に配置され、前面上におけるユーザによってタッチされた位置であるタッチ位置を検出するセンサである。タッチセンサ１１２は、押圧部１１６のＺ軸方向プラス側に配置され、押圧部１１６のＺ軸方向プラス側の面である操作面上におけるタッチ位置を検出する。
【００３１】
なお、タッチ位置とは、ユーザの指などの身体の一部によってタッチされた位置であってもよいし、導電性を有する物体によってタッチされた位置であってもよい。タッチセンサ１１２は、透明な部材により構成されている。タッチセンサ１１２は、抵抗膜方式、静電容量方式など様々な方式のタッチセンサを利用できる。
【００３２】
窓枠１１３は、導光体１１４に形成された意匠以外の領域からの光を遮る部材である。具体的には、窓枠１１３は、導光体１１４の前側に配置され、意匠に対応する領域に外形が矩形の開口を有する。窓枠１１３は、遮光性を有する材料（例えば、樹脂等）により構成される。これにより、表示装置１００では、導光体１１４の出光面１３１ａ（後述参照）に形成されている第１意匠の部分以外の部分から光が出射されることを低減でき、第１意匠の部分に限定して光を出射させることができる。
【００３３】
導光体１１４は、基板１１８に実装されている第１光源１２２、１２３から発光された光を、Ｘ−Ｙ平面に略平行な出光面から前側に出射することにより面発光する部材である。導光体１１４は、透明な材料により構成されており、例えば、アクリル樹脂や、ポリカーボネート樹脂等により構成される。
【００３４】
次に、図６を参照しながら、実施の形態に係る導光体１１４の詳細な構成について説明する。
【００３５】
図６は、導光体１１４と導光体１１４に形成された第１意匠１４１〜１４７を表示させるための第１光源との関係を示す斜視図である。
【００３６】
図６に示すように、導光体１１４は、出光部１３１と、導光部１３２、１３３とを有する。
【００３７】
出光部１３１は、Ｘ−Ｙ平面に略平行に配置される板状の部位である。出光部１３１は、Ｚ軸方向プラス側の面から光を出射する出光面１３１ａを有する。出光面１３１ａには、操作対象を示す第１意匠１４１〜１４７が形成される。
【００３８】
導光部１３２、１３３は、出光部１３１に略垂直に接続されており、Ｙ−Ｚ平面に略平行に配置される板状の部位である。導光部１３２、１３３は、第１光源１２２、１２３と対向する、Ｘ−Ｙ平面に略平行な入光面１３４、１３５を有する。
【００３９】
入光面１３４、１３５は、第１光源１２２と対向する第１の入光面１３４、および、第１光源１２３と対向する第２の入光面１３５を有する。本実施の形態では、第１の入光面１３４は、３つの第１光源１２２と対向する位置に配置され、３つの第１光源１２２が配置されている領域に跨がって配置されている。第２の入光面１３５は、３つの第１光源１２３と対向する位置に配置され、３つの第１光源１２３が配置されている領域に跨がって配置されている。
【００４０】
また、導光部１３２、１３３は、入光面１３４、１３５から進入した光を出光面１３１ａに導く導光体１１４の部位である。導光部１３２、１３３は、第１の入光面１３４から進入した光を出光面１３１ａに導く第１の導光部１３２と、第２の入光面１３５から進入した光を出光面１３１ａに導く第２の導光部１３３とを有する。第１の導光部１３２および第２の導光部１３３は、出光部１３１のＸ軸方向における両端に配置され、互いに略平行に配置されている。つまり、第２の導光部１３３は、出光面１３１ａを挟んで第１の導光部１３２とは反対側に配置される。
【００４１】
第１の導光部１３２および第２の導光部１３３は、出光部１３１に対して屈曲して形成されている。つまり、第１の導光部１３２は、約９０度屈曲している曲面部分１３２ａを介して、出光部１３１と接続されており、第２の導光部１３３は、約９０度屈曲している曲面部分１３３ａを介して、出光部１３１と接続されている。
【００４２】
このように、導光体１１４は、３つの第１光源１２２および３つの第１光源１２３が発した光を２つの導光部から出光面１３１ａに導く構成である。このため、ユーザがタッチする位置を示す複数の意匠を表示する比較的広い出光面１３１ａであっても、Ｘ軸方向およびＹ軸方向に輝度のムラが生じることを低減することができる。
【００４３】
また、第１意匠１４１〜１４７のそれぞれは、光の出射側が頂点となる逆Ｖ字の溝または孔が出光部１３１に形成されることで、形成されている。つまり、第１意匠１４１〜１４７のそれぞれは、逆Ｖ字の溝または孔によって、導光部１３２、１３３から出光部１３１に導かれ、Ｘ軸方向に進む光をＺ軸方向プラス側に反射することで、表示される。また、第１意匠１４１〜１４７のそれぞれは、導光体１１４の厚み方向の光を透過するように、出光面１３１ａに形成されている。このため、導光体１１４は、出光部１３１のＺ軸方向マイナス側に配置される第２光源１２４からの光をＺ軸方向プラス側に透過する。
【００４４】
次に、図７を参照しながら、実施の形態に係る透過部１１５の詳細な構成について説明する。
【００４５】
図７は、透過部１１５と透過部１１５に形成された第２意匠１５１〜１５７を表示させるための第２光源１２４との関係を示す斜視図である。
【００４６】
図７に示すように、透過部１１５は、略正方形の板状の部材であり、透過部１１５の厚み方向（Ｚ軸方向）に光を透過する第２意匠１５１〜１５７が形成されている。透過部１１５は、第２意匠１５１〜１５７が形成されている部位を除く部位では、第２意匠１５１〜１５７が形成されている部位ほど光を厚み方向に透過せず、少量の光量の光のみを透過する。つまり、透過部１１５は、第２意匠１５１〜１５７の形状に形成され、第２光源１２４からの直接光を透過させる第１領域と、第１領域よりも少ない光量の直接光を透過させる第２領域とを有する。透過部１１５は、第２領域で透過させる所定の光量だけ光を透過させる材料（全体がスモークで着色されている材料）で構成されており、孔や溝を設けることで第２意匠１５１〜１５７の形状が形成された部材であってもよい。また、透過部１１５は、透明な板状部材の表面がスモークで塗装されており、第２意匠１５１〜１５７の形状にスモークの塗装を形成しない第２領域が形成された部材であってもよい。
【００４７】
透過部１１５は、Ｚ軸方向マイナス側に配置される第２光源１２４ａ〜１２４ｇのそれぞれの位置に対応した位置に第２意匠１５１〜１５７が形成されている。透過部１１５と第２光源１２４ａ〜１２４ｇが設けられる基板１１８との間には、図４に示すように、後述する押圧部１１６および隔離部１１７が配置される。第２光源１２４ａ〜１２４ｇは、隔離部１１７によって互いに隔離されるため、第２意匠１５１〜１５７のそれぞれには、第２光源１２４ａ〜１２４ｇのうち対応する第２光源１２４ａ〜１２４ｇの光が照射される。
【００４８】
また、透過部１１５は、導光体１１４の出光部１３１と重なった状態で、出光部１３１のＺ軸方向マイナス側に配置される。第２意匠１５１〜１５７は、第１意匠１４１〜１４７と重なる位置に配置されている。つまり、第１意匠１４１〜１４７と第２意匠１５１〜１５７とが対応する意匠同士で重なるように、導光体１１４と透過部１１５が配置される。
【００４９】
押圧部１１６は、基板１１８に実装されているスイッチ本体１２１の前側に配置され、スイッチ本体１２１を押圧する部材である。押圧部１１６は、スイッチ本体１２１を押圧できるように、スイッチ本体１２１に対してＺ軸方向にスライド可能にＸ軸方向の側面において外枠１１１により支持されている。押圧部１１６は、タッチセンサ１１２、窓枠１１３および導光体１１４を支持している。つまり、タッチセンサ１１２、窓枠１１３および導光体１１４は、押圧部１１６のＺ軸方向へのスライドと共にスライドする。なお、押圧部１１６が押圧される操作面は、人の手の指の幅よりも大きい幅を有する。
【００５０】
また、押圧部１１６は、透過部１１５の第２意匠１５１〜１５７のそれぞれに対応する位置にＺ軸方向に貫通している、Ｚ軸方向から見た外形が矩形の開口が設けられており、第２意匠１５１〜１５７に対応する第２光源１２４ａ〜１２４ｇの光を透過する。
【００５１】
押圧部１１６は、例えば、樹脂等の材料により構成される。
【００５２】
隔離部１１７は、基板１１８上に配置され、第１光源１２２、１２３および第２光源１２４ａ〜１２４ｇのそれぞれを互いに隔離する部材である。つまり、隔離部１１７は、少なくとも基板１１８上において、第１光源１２２、第１光源１２３、第２光源１２４ａ、第２光源１２４ｂ、第２光源１２４ｃ、第２光源１２４ｄ、第２光源１２４ｅ、第２光源１２４ｆ及び第２光源１２４ｇのそれぞれの間に配置される壁を有し、これらの光源の光が対応する意匠以外に到達することを抑制している。隔離部１１７が有する壁は、第２光源１２４ａ〜１２４ｇのそれぞれに対応する角筒状の形状である。隔離部１１７は、例えば、樹脂等の材料により構成される。
【００５３】
基板１１８は、スイッチ本体１２１と、複数の第１光源１２２、１２３と、複数の第２光源１２４と、制御回路１２５とを有する配線基板である。スイッチ本体１２１及び複数の第１光源１２２、１２３及び複数の第２光源１２４は、基板１１８の前面側（Ｚ軸方向プラス側）の主面に実装されている。
【００５４】
スイッチ本体１２１は、押圧式のスイッチである。
【００５５】
複数の第１光源１２２、１２３及び複数の第２光源１２４は、基板１１８において、スイッチ本体１２１よりもＸ軸方向マイナス側に配置される３つの第１光源１２２と、スイッチ本体１２１よりもＸ軸方向プラス側に配置される３つの第１光源１２３と、３つの第１光源１２２および３つの第１光源１２３の間に配置される７つの第２光源１２４を有する。また、第１光源１２２、１２３および第２光源１２４は、基板１１８上の互いに離れた位置に配置される。３つの第１光源１２２は、Ｙ軸方向に沿って並んで配置されている。３つの第１光源１２３は、Ｙ軸方向に沿って並んで配置されている。複数の第１光源１２２、１２３および複数の第２光源１２４のそれぞれは、例えば、ＬＥＤ（Ｌｉｇｈｔ  Ｅｍｉｔｔｉｎｇ  Ｄｉｏｄｅ）により構成されている。
【００５６】
制御回路１２５は、スイッチ本体１２１の機能を、タッチセンサ１１２が検出している位置に対応する第１意匠１４１〜１４７または第２意匠１５１〜１５７の位置に応じた機能に切り替える。例えば、制御回路１２５は、タッチセンサ１１２が、第１意匠１４１に対応する位置を検出している時にスイッチ本体１２１が押圧されれば、第１意匠１４１が示す右カーソルキーの入力を受け付ける。他の第１意匠１４２〜１４７や第２意匠１５１〜１５７についても同様に機能を切り替えて、切り替えた機能に対応する入力を受け付ける。
【００５７】
制御回路１２５は、表示装置１００を複数の動作モードで動作させる。例えば、制御回路１２５は、第１動作モードとしてのメニュー選択モードと、第２動作モードとしての音楽プレイヤーモードとの２種類の動作モードで表示装置１００を動作させる。制御回路１２５は、所定の切り替え手段によって切り替えられた動作モードに応じて、スイッチ本体１２１が押圧されたときの機能を切り替える。所定の切り替え手段は、他のスイッチのオンオフや、音声認識、ジェスチャ認識など様々な切り替え手段が考えられる。
【００５８】
また、制御回路１２５は、動作モードに応じて、割り当てられるスイッチ本体１２１への機能と、第１光源１２２、１２３または第２光源１２４により発光する機能とを対応づけている。例えば、第１動作モードにおいては、タッチセンサ１１２およびスイッチ本体１２１の組合せは、メニューを選択するために選択されている項目を移動させるための十字キーと、選択されている項目を設定させるための決定キーとして機能する。また、第２動作モードにおいては、タッチセンサ１１２およびスイッチ本体１２１の組合せは、音楽プレイヤーの曲送り、曲戻し、音量増加、音量減少、再生／停止などのキーとして機能する。
【００５９】
そこで、本実施の形態では、制御回路１２５は、動作モードに応じて、第１光源１２２、１２３及び第２光源１２４のいずれかを選択的に点灯させることで、第１動作モードでは、第１意匠１４１〜１４７が表示されるようにし、第２動作モードでは、第２意匠１５１〜１５７が表示されるように第１光源１２２、１２３及び第２光源１２４を制御している。同様にして、制御回路１２５は、動作モードに応じて、第１光源１２２、１２３及び第２光源１２４のうちのいずれかを選択的に点灯させることで、タッチセンサ１１２に、第１動作モードでは、第１意匠１４１〜１４７が表示されるようにし、第２動作モードでは、第１意匠１４１〜１４７とは異なる第２意匠１５１〜１５７が表示されるように第１光源１２２、１２３及び第２光源１２４を制御している。
【００６０】
具体的には、制御回路１２５は、第１動作モードにおいて、第１光源１２２、１２３を点灯させ、かつ、第２光源１２４を消灯させ、第２動作モードにおいて、第２光源１２４を点灯させ、かつ、第１光源１２２、１２３を消灯させる。つまり、制御回路１２５は、動作モードが第１動作モードであるか第２動作モードであるかに応じて、第１光源１２２、１２３が点灯しており、かつ、第２光源１２４が消灯している第１状態と、第２光源１２４が点灯しており、かつ、第１光源１２２、１２３が消灯している第２状態とのいずれかに選択的に遷移する。
【００６１】
なお、制御回路１２５は、外部のスイッチなどにより、タッチセンサ１１２およびスイッチ本体１２１の組合せがオフの状態となっていれば第１光源１２２、１２３及び第２光源１２４の全てが消灯している状態に制御してもよい。
【００６２】
下枠１１９は、外枠１１１の下端に固定された状態で、基板１１８を保持する部材である。つまり、下枠１１９は、外枠１１１の下端の位置で基板１１８を固定する部材である。
【００６３】
このように、外枠１１１は、タッチセンサ１１２、窓枠１１３、導光体１１４および透過部１１５を支持する押圧部１１６をＺ軸方向にスライド可能に支持しており、下端の位置で基板１１８を固定している。このため、押圧部１１６が外枠１１１に対してＺ軸方向にスライドすれば、導光体１１４と基板１１８とのＺ軸方向における距離は変化する。
【００６４】
図８は、スイッチ本体１２１を押圧する前後の動きを説明するための図である。図８の（ａ）は、スイッチ本体１２１が押圧される前の状態を示す図５と同様の断面図である。図８の（ｂ）は、スイッチ本体１２１が押圧されている状態を示す断面図である。
【００６５】
図８に示すように、タッチセンサ１１２、窓枠１１３、導光体１１４および透過部１１５を支持する押圧部１１６が外枠１１１に対してＺ軸方向マイナス側にスライドした場合、スイッチ本体１２１が押圧部１１６により押圧される。
【００６６】
［１−３．効果など］
本実施の形態に係る表示装置１００によれば、透過部１１５が第２意匠１５１〜１５７の形状に形成され、第２光源１２４からの直接光を透過させる第１領域と、第１領域よりも少ない光量の直接光を透過させる第２領域とを有する。このように、第２領域において少ない光量の直接光を透過させるため、第２光源１２４を発光させて直接光による第２意匠１５１〜１５７を表示させた場合であっても、第２意匠１５１〜１５７の周囲の領域を少し光らせることができる。このため、導光体１１４を介して第１光源１２２、１２３の光により表示させる第１意匠１４１〜１４７の周囲の領域の光量と、第２意匠１５１〜１５７の周囲の領域の光量とを近づけることができる。よって、光源を切り替えて第１意匠１４１〜１４７および第２意匠１５１〜１５７を選択的に表示させる表示装置１００において、第１意匠１４１〜１４７および第２意匠１５１〜１５７の見え方を均一化できる。
【００６７】
また、表示装置１００において、透過部１１５の第２領域は、導光体１１４の出光面１３１ａの第１意匠１４１〜１４７を除く部位から出射される光の光量と同程度の光量を透過させるように構成されている。このため、光源を切り替えて第１意匠１４１〜１４７および第２意匠１５１〜１５７を選択的に表示させる表示装置１００において、第１意匠１４１〜１４７および第２意匠１５１〜１５７の見え方を効果的に均一化できる。
【００６８】
また、表示装置１００において、導光体１１４と透過部１１５とは重ねて配置される。このため、表示装置１００の構成を小型化することができる。
【００６９】
また、表示装置１００において、第１意匠１４１〜１４７は、光の出射側が頂点となる逆Ｖ字形の溝または孔が形成される。このため、導光体１１４では、第１意匠１４１〜１４７において、導光部１３２、１３３により導かれた第１光源１２２、１２３からの光をＺ軸方向プラス側に反射することで第１意匠１４１〜１４７を表示することと、導光体１１４の厚み方向に照射される第２光源１２４の光を透過することで、第１意匠１４１〜１４７と重なって配置されている第２意匠１５１〜１５７を表示することとを容易な構成で両立できる。
【００７０】
また、表示装置１００において、第１意匠１４１〜１４７と第２意匠１５１〜１５７とが重なるように、導光体１１４と透過部１１５とが配置され、第１意匠１４１〜１４７は、導光体１１４の厚み方向の光を透過するように出光面１３１ａに形成されている。つまり、第１意匠１４１〜１４７と第２意匠１５１〜１５７とを互いに重なった領域に表示できるため、表示装置１００の構成を効果的に小型化することができる。
【００７１】
また、本実施の形態に係る表示装置１００において、導光体１１４の導光部１３２、１３３は、出光面１３１ａに対して屈曲して形成されている。このため、第１光源１２２、１２３が同一基板１１８上に配置される構成であっても、当該第１光源１２２、１２３から発せられた光を、出光面１３１ａの側方から導くことが容易にできる。これにより、第１光源１２２、１２３を導光体１１４のＸ軸方向の外側に配置せずに、導光体１１４のＺ軸方向マイナス側に重ねて配置できる。このため、表示装置１００の表示面よりも外側の構成を小型化（つまり狭額縁化）することができる。
【００７２】
［１−４．変形例］
上記実施の形態に係る表示装置１００によれば、窓枠１１３が有する開口の外形は矩形であるとしたが、これに限らずに、円形であってもよいし、星形であってもよいし、その他の様々な形状であってもよい。また、押圧部１１６の開口の外形や、隔離部１１７の壁の形状についても、矩形に限らずに、窓枠１１３が有する開口の外形の形状に応じた形状であってもよい。これにより、第１意匠１４１〜１４７および第２意匠１５１〜１５７の周囲の領域においても、窓枠１１３の開口、押圧部１１６の開口、及び、隔離部１１７の壁の形状に応じて、様々な形状で表示させることができる。
【００７３】
なお、以上の説明では、表示装置１００にスイッチ本体１２１が設けられる構成としたが、これに限定されず、例えば、スイッチ本体１２１を備えずに、光源を切り替えて第１意匠１４１〜１４７および第２意匠１５１〜１５７を選択的に表示させる機能のみを有する構成としてもよい。
【００７４】
以上、本発明の一つまたは複数の態様に係る表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００７５】
本発明は、光源を切り替えて第１意匠および第２意匠を選択的に表示させる表示装置において、第１意匠および第２意匠の見え方を均一化できる表示装置などとして有用である。
【符号の説明】
【００７６】
２  ステアリング入力装置
４  自動車
６  車載機器
８  ステアリングホイール
１２  リム
１４  スポーク
１６  ホーンスイッチカバー
１８  指
２０  ダッシュボード
１００  表示装置
１１１  外枠
１１２  タッチセンサ
１１３  窓枠
１１４  導光体
１１５  透過部
１１６  押圧部
１１７  隔離部
１１８  基板
１１９  下枠
１２１  スイッチ本体
１２２、１２３  第１光源
１２４、１２４ａ〜１２４ｇ  第２光源
１２５  制御回路
１３１  出光部
１３１ａ  出光面
１３２  第１の導光部
１３２ａ  曲面部分
１３３  第２の導光部
１３３ａ  曲面部分
１３４  第１の入光面
１３５  第２の入光面
１４１〜１４７  第１意匠
１５１〜１５７  第２意匠
【図１】
2018087867.tif 000003
【図２】
2018087867.tif 000004
【図３】
2018087867.tif 000005
【図４】
2018087867.tif 000006
【図５】
2018087867.tif 000007
【図６】
2018087867.tif 000008
【図７】
2018087867.tif 000009
【図８】
2018087867.tif 000010